(57)【要約】【課題】自動車用加飾シートを貼り替えることにより、多様な自動車用加飾を取り替えて楽しむ事を可能とし、更には、自動車用加飾の取り替えや取り外し時に、被加飾面を傷付けたり汚したりしにくくする。【解決手段】第１の透明貼着シート１０と第２の透明貼着シート２０との間に薄手の加飾部材３０を配置しつつ第１の透明貼着シート１０と第２の透明貼着シート２０とを接着剤で互いに接着して加飾部材３０を密封して成り、第１の透明貼着シート１０と前記第２の透明貼着シート２０の何れか一方には、加飾部材３０に対面しない側の面に接着剤が付着された接着剤層２３が形成されている自動車用加飾シート１００。【選択図】図１
2015037836.tif 000002
【特許請求の範囲】
【請求項１】
第１の透明貼着シートと第２の透明貼着シートとの間に薄手の加飾部材を配置しつつ前記第１の透明貼着シートと前記第２の透明貼着シートとを接着剤で互いに接着して前記加飾部材を密封して成り、
前記第１の透明貼着シートと前記第２の透明貼着シートの何れか一方には、前記加飾部材に対面しない側の面に接着剤が付着されていることを特徴とする自動車用加飾シート。
【請求項２】
前記加飾部材は、前記第１の透明貼着シートと前記第２の透明貼着シートの何れか一方に付着された色材であり、
前記色材は、前記第１の透明貼着シートと前記第２の透明貼着シートの何れか一方に付着された接着剤により表面形状を固定されている
ことを特徴とする請求項１に記載の自動車用加飾シート。
【請求項３】
前記加飾部材としての色材は、複数色の色材の重ね塗りにより実現されている
ことを特徴とする請求項２に記載の自動車用加飾シート。
【請求項４】
前記加飾部材としての色材は、その縁部に、加飾部材の色材を引き立てる色の色材が下地として用いられている
ことを特徴とする請求項２又は請求項３に記載の自動車用加飾シート。
【請求項５】
前記加飾部材としての色材により実現される模様は、模様の輪郭から離れるに従ってその付着密度が徐々に低下するぼかし部を有する
ことを特徴とする請求項１〜請求項４の何れか１項に記載の自動車用加飾シート。
【請求項６】
前記第１の透明貼着シートに付着されている接着剤は、一定温度以上に加熱すると接着力を喪失する
ことを特徴とする請求項１〜請求項５の何れか１項に記載の自動車用加飾シート。
【請求項７】
第１の透明貼着シート及び第２の透明貼着シートを用意するシート準備工程と、
前記第１の透明貼着シートと前記第２の透明貼着シートとの間に加飾部材を配置する加飾部材配置工程と、
前記加飾部材を間に挟んだ状態で前記第１の透明貼着シートと前記第２の透明貼着シートとを互いに接着して前記加飾部材を密封する挟持工程と、
前記第１の透明貼着シートと前記第２の透明貼着シートの何れか一方について、前記加飾部材に対面しない側の面に接着剤を付着させる接着剤付着工程と、
を含むことを特徴とする自動車用加飾シートの製造方法。
【発明の詳細な説明】
【技術分野】
【０００１】
本発明は、自動車用加飾シートに関し、特に、自動車の内部又は外部の各種の面に貼着して用いるための自動車用加飾シートに関する。
【背景技術】
【０００２】
自動車の外装における塗装は、単色が一般的であり、使用者や所有者は、販売店が提供する各種の装飾オプションを自動車の購入時や購入後に選択して装飾を施してもらったり、自動車の購入後にカスタム装飾の専門店で所望の装飾を施してもらったりすることができる。むろん、使用者や所有者が、自ら自動車に装飾を施す場合もある。
【０００３】
また、自動車の外装であれば、塗装が施された部位のみならず、フロント、リア及び左右のガラス窓、樹脂にて形成された部分、金属が露出している部分、等についても各種の装飾を施すことができる。また、自動車の室内についても、同様に、各種の部位に装飾を施すことができる。
【０００４】
以下では、このような自動車に対して行う各種の装飾を「自動車用加飾」と呼ぶことにする。また自動車の外部や室内等において、使用者、所有者、通行人等が、自動車の通常使用の際に視認する可能性のある部位を「被加飾面」と呼ぶことにする。
【０００５】
被加飾面に対して自動車用加飾を行うことにより、自動車の使用者や所有者は、趣味・嗜好に応じたユニークな自動車を実現し、自ら楽しんだり、他者にアピールしたりすることができる。また、会社の社名やロゴ、宣伝・広告等の業務に関する情報を、被加飾面に加飾することにより、宣伝や広告を行うこともできる。
【０００６】
自動車用加飾には各種のバリエーションがあり、例えば、露出面に対して直接に色材（ペンキやインク等）を付着させて実現するバリエーション（以下、塗装加飾と呼ぶ。）や、露出面に装飾用のシート状のフィルム材等を貼着させて実現するバリエーション（以下、貼着加飾と呼ぶ。）、等がある（特許文献１参照）。
【先行技術文献】
【特許文献】
【０００７】
【特許文献１】特開２００３−６２９３８号公報
【発明の概要】
【発明が解決しようとする課題】
【０００８】
塗装加飾の場合、自動車用加飾の取り替えが難しいため、流行や状況、趣味嗜好の変化に応じて自動車用加飾を取り替えて楽しむことが難しかった。また、自動車用加飾を取り替えようとすると、被加飾面を傷付けたり汚したりするおそれがあった。
【０００９】
貼着加飾の場合、フィルム材によって実現できる加飾の種類に限界があるため、実現可能な加飾の態様に限界があった。このため、多様な趣味、嗜好、要望等に十分に応えられない場合があった。また、フィルム材等を貼着する際に用いる接着剤の種類次第では、被加飾面から剥がす際に被加飾面を傷付けたり被加飾面に接着剤が残って被加飾面を汚したりするという問題もあった。
【００１０】
本発明は、前記課題に鑑みてなされたもので、多様な自動車用加飾を取り替えて楽しむ事が可能であり、より好ましくは、自動車用加飾の取り替えや取り外し時に被加飾面を傷付けたり汚したりすることのない自動車用加飾シートを提供することを目的とする。
【課題を解決するための手段】
【００１１】
本発明の態様の１つは、第１の透明貼着シートと第２の透明貼着シートとの間に薄手の加飾部材を配置しつつ前記第１の透明貼着シートと前記第２の透明貼着シートとを接着剤で互いに接着して前記加飾部材を密封して成り、前記第１の透明貼着シートと前記第２の透明貼着シートの何れか一方には、前記加飾部材に対面しない側の面に接着剤が付着されていることを特徴とする自動車用加飾シートである。
【００１２】
また、本発明の選択的な態様の１つにおいて、前記加飾部材は、前記第１の透明貼着シートと前記第２の透明貼着シートの何れか一方の前記非挟持面に付着された色材であり、前記色材は、前記第１の透明貼着シートと前記第２の透明貼着シートの何れか他方の前記非挟持面に付着された接着剤により表面形状を固定されている。
【００１３】
また、本発明の選択的な態様の１つにおいて、前記加飾部材としての色材は、複数色の色材の重ね塗りにより実現されている。
【００１４】
また、本発明の選択的な態様の１つにおいて、前記加飾部材としての色材により実現される模様は、模様の輪郭部から離れるに従ってその付着密度が徐々に低下するぼかし部を有する。
【００１５】
また、本発明の選択的な態様の１つにおいて、前記加飾部材としての色材は、その縁部に、加飾部材の色材を引き立てる色の色材が下地として用いられている。
【００１６】
また、本発明の選択的な態様の１つにおいて、前記第１の透明貼着シートに付着されている接着剤は、一定温度以上に加熱すると接着力を喪失する。
【００１７】
本発明の他の態様の１つは、第１の透明貼着シート及び第２の透明貼着シートを用意するシート準備工程と、前記第１の透明貼着シートと前記第２の透明貼着シートとの間に加飾部材を配置する加飾部材配置工程と、前記加飾部材を間に挟んだ状態で前記第１の透明貼着シートと前記透明貼着シートとを互いに接着して前記加飾部材を密封する挟持工程と、前記第１の透明貼着シートと前記第２の透明貼着シートの何れか一方について、前記加飾部材に対面しない側の面に接着剤を付着させる接着剤付着工程と、を含むことを特徴とする自動車用加飾シートの製造方法である。
【００１８】
なお、本発明は、上述した自動車用加飾シートを貼着された自動車のパーツとして実施されたり、上述した自動車用加飾シートを貼着された自動車として実施されたりする等の各種の態様を含む。また、本発明は、上述した自動車用加飾シートの製造方法としても実現可能である。また、上述した自動車用加飾シートを自動車のパーツに貼着する工程を含む自動車用加飾シートの製造方法として実施されたり、上述した自動車用加飾シートを自動車に貼着する工程を含む自動車用加飾シートの製造方法として実施されたりする等の各種の態様も含む。
【発明の効果】
【００１９】
本発明によれば、多様な自動車用加飾を取り替えて楽しむ事が可能である。また、自動車用加飾の取り替えや取り外し時に、被加飾面を傷付けたり汚したりしにくくなる。
【図面の簡単な説明】
【００２０】
【図１】自動車用加飾シートの構造を説明するための模式的な断面図である。
【図２】ぼかし部を説明する図である。
【図３】自動車用加飾シートの製造方法の流れを示す図である。
【発明を実施するための形態】
【００２１】
図１は、自動車用加飾シートの構造を説明するための模式的な断面図である。同図において、自動車用加飾シート１００は、第１の透明貼着シート１０、第２の透明貼着シート２０、及び、加飾部材３０により構成されている。
【００２２】
第１の透明貼着シート１０は、上面１１と下面１２の少なくとも一方に接着剤が付着されており、図１に示す例では、上面１１には接着剤が付着されておらず、下面１２には接着剤が付着された接着剤層１３が設けられている。なお、上面１１は第２の透明貼着シート２０に対面しない側の面であり、下面１２は第２の透明貼着シート２０に対面する側の面である。
【００２３】
接着剤層１３を構成する接着剤は、一定温度未満では対象物に対する接着力を喪失せず、一定温度以上に加熱されると対象物に対する接着力を喪失する特性を有する。一般的な使用方法で自動車を使用している場合、自動車の非加飾面は、この一定温度よりも低い温度範囲で変動するものとする。すなわち、自動車の通常使用時に、被加飾面がＡ℃〜Ｂ℃（Ａ＜Ｂ）の範囲内で変動するのであれば、接着剤層２３は、少なくともＡ℃〜Ｂ℃では接着力を持続するが、Ｃ℃（Ｂ＜Ｃ）になると対象物に対する接着力を喪失する。
【００２４】
第２の透明貼着シート２０は、上面２１には接着剤が付着されておらず、下面２２には接着剤が付着された接着剤層２３が形成されている。ただし、第２の透明貼着シート２０の上面２１にも接着剤を付着させた接着剤層を設けていても構わない。なお、上面２１は第１の透明貼着シート１０に対面する側の面であり、下面２２は第１の透明貼着シート１０に対面しない側の面である。
【００２５】
加飾部材３０は、凹凸が少ない薄手の膜状の部材であれば各種のものを採用可能であり、例えば、第２の透明貼着シート２０の上面２１に付着されたペンキ（塗料）やインク等の色材や、平板状に押圧形成された物（押し花等）が挙げられる。
【００２６】
加飾部材３０は、第２の透明貼着シート２０の上面２１と第１の透明貼着シート１０の下面１２との間に挟持されている。すなわち、加飾部材３０と自動車用加飾シート１００の被加飾面Ｔとの間には、第２の透明貼着シート２０が配置されるため、加飾部材３０と被加飾面Ｔとの直接接触が防止される。また、加飾部材３０と自動車用加飾シート１００の外部との間には、第１の透明貼着シート１０が配置される。これにより、加飾部材３０が自動車用加飾シート１００の外部から保護される。
【００２７】
例えば、加飾部材３０が色材の場合、色材を被加飾面Ｔに直接に付着させずに済むため、加飾部材３０を取り替える際に、被加飾面Ｔから色材を除去する作業が不要である。また、加飾部材３０が第１の透明貼着シート１０によって保護されるため、加飾部材３０の剥がれ、汚れ、擦過、等の汚損を防止することが出来る。
【００２８】
また、第１の透明貼着シート１０と第２の透明貼着シート２０は、加飾部材３０を挟持している挟持部Ｒ１を取り囲む被挟持部Ｒ２において、互いに接着剤で接着されている。すなわち、加飾部材３０は、第１の透明貼着シート１０と第２の透明貼着シート２０の間に密封されている。これにより、加飾部材３０は、外気による退色や劣化等の変質から保護される。
【００２９】
さらに、第１の透明貼着シート１０と第２の透明貼着シート２０の間に加飾部材３０を挟持させる際に、極力余計な空気がシートの間に入らないように密着させながら貼り合わせることが好ましい。これにより、加飾部材３０の退色や劣化等の変質が更に防止される。
【００３０】
また、第１の透明貼着シート１０の下面１２は、接着剤層１３の接着剤によって、加飾部材３０の表面３１（第１の透明貼着シート１０に対面する側の面）に接着される。この接着により、加飾部材３０の表面３１の形状が固定され、加飾部材３０の表面のシート面方向への移動が規制される。
【００３１】
これにより、加飾部材３０の表面のヒビ割れや欠落が防止され、第１の透明貼着シート１０の側から第１の透明貼着シート１０を通して観察される加飾部材３０の見た目が損なわれにくくなる。また、被加飾面Ｔが曲面等の平面以外の場合でも、この曲面に沿って屈曲するように自動車用加飾シート１００を貼着したときに、加飾部材３０の表面がヒビ割れたり欠落したりすることがなく、第１の透明貼着シート１０を通して観察される加飾部材３０の見た目が損なわれにくくなる。従って、多様な形状の被加飾面Ｔを自動車用加飾シート１００にて加飾することができる。
【００３２】
なお、自動車用加飾シート１００は、被加飾面Ｔに貼着される前の状態において、第２の透明貼着シート２０の下面２２に付着される接着剤の下面に台紙が貼着されている。この台紙は、接着剤に対して貼り剥がし自在であり、接着剤に貼着することで当該接着剤を保護し、当該接着剤へのゴミ等が付着することを防止したり、当該接着剤の乾燥や劣化を防止したりする。なお、台紙は、自動車用加飾シート１００を被加飾面に貼着させる際に、接着剤から剥がされる。
【００３３】
次に、塗装によって実現される加飾部材３０の、より具体的な一例について説明する。
【００３４】
塗装によって実現される加飾部材３０は、複数色の色材を、第２の透明貼着シート２０の上面２１に適当な順番で重ね塗りすることにより実現された、所望の絵や文字等の模様である。
【００３５】
このとき、まず、第２の透明貼着シート２０の上面２１に、加飾部材の色材を引き立てる色の色材が下地として付着される。より具体的には、塗装によって実現したい模様の輪郭（色の境界）付近に、模様をより鮮明に見せる程度の幅で、加飾部材の色材を引き立てる色の色材を下地として付着させる。これにより、その後、順次に重ねて付着されていく色材と被加飾面Ｔの色との混色が防止され、より鮮明な発色を得ることができる。
【００３６】
また、図２に示すように、塗装によって実現される加飾部材３０は、模様の輪郭を中心として、輪郭を形成する色材の少なくとも一方を用いて、輪郭から離れるにつれて徐々にその付着密度が低下する「ぼかし部３２」を設けることが好ましい。「ぼかし部３２」を設けることにより、一定以上の距離から加飾部材３０を観察したときに、輪郭において色と色が混ぜ合わされ、塗装によって実現される加飾部材３０の模様に、自然な丸みやつながりが実現される。
【００３７】
「ぼかし部３２」の形成範囲は、当該加飾部材３０が観察される平均的な距離に基づいて決定すればよく、例えば、当該加飾部材３０の観察される平均的な距離が遠いほど、輪郭を中心とした「ぼかし部３２」の形成範囲Ｒ３を広くする。これにより、加飾部材３０の境界に、距離に応じた適切な自然な丸みやつながりを与えることができる。
【００３８】
図３は、自動車用加飾シート１００の製造方法の流れを示す図である。同図に示すように、自動車用加飾シート１００の製造方法は、シート準備工程Ｓ１、加飾部材配置工程Ｓ２、及び挟持工程Ｓ３を含んで構成される。
【００３９】
シート準備工程Ｓ１においては、第１の透明貼着シート１０及び第２の透明貼着シート２０を用意する。第２の透明貼着シート２０の下面２２には上述した台紙が貼着された状態であることが、加飾部材配置工程Ｓ２や挟持工程Ｓ３の作業性の観点から、望ましい。また、第２の透明貼着シート２０も、同様の観点から、下面１２に接着剤を付着し、その上に上述した台紙を貼着した状態であることが望ましい。
【００４０】
むろん、下面２２に付着される接着剤は、最初から付着されている必要はないため、加飾部材配置工程Ｓ２や挟持工程Ｓ３の途中や、これら工程の終了後に、接着剤を下面２２に付着させるための接着剤付着工程を行った後、下面２２に対して台紙を貼着させても構わない。また、下面１２に付着される接着剤も最初から付着されている必要は無く、挟持工程Ｓ３を行うまでの何れかのタイミングで付着されればよい。
【００４１】
加飾部材配置工程Ｓ２においては、第２の透明貼着シート２０の上面２１と第１の透明貼着シート１０の下面１２の間に加飾部材３０を配置する。例えば、加飾部材３０が塗装により実現される場合は、第２の透明貼着シート２０の上面に塗装を施す。
【００４２】
挟持工程Ｓ３においては、第１の透明貼着シート１０の下面１２に貼着されている台紙を剥がし、第２の透明貼着シート２０の上面２１に貼り付ける。これにより、加飾部材３０（例えば、第２の透明貼着シート２０の上面２１に施された塗装）が、第２の透明貼着シート２０の上面２１と第１の透明貼着シート１０の下面１２の間に挟持される。
【００４３】
以上説明したように、本実施形態によって実現される自動車用加飾シート１００は、第１の透明貼着シート１０と第２の透明貼着シート２０との間に薄手の加飾部材３０を配置しつつ第１の透明貼着シート１０と第２の透明貼着シート２０とを接着剤で互いに接着して加飾部材３０を密封して成り、第１の透明貼着シート１０と前記第２の透明貼着シート２０の何れか一方には、加飾部材３０に対面しない側の面に接着剤が付着された接着剤層２３が形成されている。このような自動車用加飾シート１００によれば、自動車用加飾シート１００を貼り替えることにより、多様な自動車用加飾を取り替えて楽しむ事が可能である。また、自動車用加飾の取り替えや取り外し時に、被加飾面を傷付けたり汚したりしにくくなる。
【００４４】
なお、本発明は上述した実施形態に限られず、上述した実施形態の中で開示した各構成を相互に置換したり組み合わせを変更したりした構成、公知技術並びに上述した実施形態の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【符号の説明】
【００４５】
１０…第１の透明貼着シート、１１…上面、１２…下面、１３…接着剤層、２０…第２の透明貼着シート、２１…上面、２２…下面、２３…接着剤層、３０…加飾部材、３１…表面、３２…ぼかし部、１００…自動車用加飾シート、Ｒ１…挟持部、Ｒ２…被挟持部、Ｒ３…形成範囲、Ｔ…被加飾面
【図１】
2015037836.tif 000003
【図２】
2015037836.tif 000004
【図３】
2015037836.tif 000005